(57)【特許請求の範囲】
【請求項１】
端子部と、該端子部が収容されるコネクタハウジングとを備え、前記端子部によって第１接続対象と第２接続対象とを電気的に接続するコネクタであって、
前記第１接続対象には、オス型のコンタクトとして形成された本体側オス型コンタクトが接続され、
前記第２接続対象には、メス型のコンタクトとして形成された本体側メス型コンタクトが接続され、
前記端子部は、
前記本体側メス型コンタクトに挿入されるコネクタ側オス型コンタクトと、
前記本体側オス型コンタクトが挿入されるコネクタ側メス型コンタクトと、
前記コネクタ側オス型コンタクト及び前記コネクタ側メス型コンタクトを連結する弾性変形可能な連結部と、
を有し、
前記コネクタハウジングには、前記第１接続対象又は前記第２接続対象に固定される本体側ハウジングの本体側係合爪と係合するコネクタ側係合爪が形成され、
前記コネクタハウジングは、前記本体側係合爪と前記コネクタ側係合爪とが互いに密着するように、該コネクタハウジングを前記本体側ハウジングに対して付勢する付勢部によって付勢されることを特徴とする、コネクタ。
【請求項２】
端子部と、該端子部が収容されるコネクタハウジングとを備え、前記端子部によって第１接続対象と第２接続対象とを電気的に接続するコネクタであって、
前記第１接続対象には、オス型のコンタクトとして形成された本体側オス型コンタクトが接続され、
前記第２接続対象には、メス型のコンタクトとして形成された本体側メス型コンタクトが接続され、
前記端子部は、
前記本体側メス型コンタクトに挿入されるコネクタ側オス型コンタクトと、
前記本体側オス型コンタクトが挿入されるコネクタ側メス型コンタクトと、
前記コネクタ側オス型コンタクト及び前記コネクタ側メス型コンタクトを連結する弾性変形可能な連結部と、
を有し、
前記連結部は、
一端側が前記コネクタ側オス型コンタクトに接続される第１直線部と、
前記第１直線部と並行して延びるように設けられ、一端側が前記コネクタ側メス型コンタクトに接続される第２直線部と、
前記第１直線部及び前記第２直線部と直交する方向に延びるように設けられ、前記第１直線部の他端側と前記第２直線部の他端側とを接続する接続部と、
を有し、
前記連結部の形状がＵ字状となるように形成され、
前記第１直線部及び前記第２直線部は、前記接続部に対して直交する方向に沿って且つ前記接続部から同じ側に向かって延びていることを特徴とする、コネクタ。
【請求項３】
請求項２に記載のコネクタにおいて、
前記第１直線部には、屈曲部が形成されていることを特徴とする、コネクタ。
【請求項４】
端子部と、該端子部が収容されるコネクタハウジングとを備え、前記端子部によって第１接続対象と第２接続対象としての基板とを電気的に接続する、請求項１から請求項３のいずれか１項に記載のコネクタと、
メス型のコンタクトとして形成され、前記基板に接続される本体側メス型コンタクトと、
前記基板に固定される本体側ハウジングと、
を備えていることを特徴とする、電気的接続装置。
【発明の詳細な説明】
【技術分野】
【０００１】
本発明は、２つの接続対象を電気的に接続するコネクタ、及びこのコネクタを備えた電気的接続装置に関する。
【背景技術】
【０００２】
例えば、特許文献１では、２つの接続対象を電気的に接続するコネクタとして、図１に示すようなコネクタが開示されている。このコネクタは、２つのメス端子（第１メス端子及び第２メス端子）を有している。第１メス端子は、一方の接続対象に設けられた第１オス端子と接触し、第２メス端子は、他方の接続対象に設けられた第２オス端子と接触する。
【０００３】
前記コネクタでは、耐振性を持たせるために、第１メス端子及び第２メス端子が弾性連結片によって繋がれている。そして、この弾性連結片は、オス端子の挿抜方向への、第１メス端子と第２メス端子の相対的に独立した変位を許容するように構成されている。これにより、振動形態が異なる２つの接続対象のそれぞれに接続された各オス型端子に接触された各メス端子の耐振性を向上することができる。
【先行技術文献】
【特許文献】
【０００４】
【特許文献１】特開２０１４−０１０９４９号公報
【発明の概要】
【発明が解決しようとする課題】
【０００５】
しかし、上述のようなコネクタであっても、耐振性が不十分となる場合がある。
【０００６】
本発明は、上記課題を解決するためのものであり、その目的は、耐振性に優れたコネクタ及び電気的接続装置を提供することである。
【課題を解決するための手段】
【０００７】
（１）上記課題を解決するために、この発明のある局面に係るコネクタは、端子部と、該端子部が収容されるコネクタハウジングとを備え、前記端子部によって第１接続対象と第２接続対象とを電気的に接続するコネクタであって、前記第１接続対象には、オス型のコンタクトとして形成された本体側オス型コンタクトが接続され、前記第２接続対象には、メス型のコンタクトとして形成された本体側メス型コンタクトが接続され、前記端子部は、前記本体側メス型コンタクトに挿入されるコネクタ側オス型コンタクトと、前記本体側オス型コンタクトが挿入されるコネクタ側メス型コンタクトと、前記コネクタ側オス型コンタクト及び前記コネクタ側メス型コンタクトを連結する弾性変形可能な連結部と、を有している。
【０００８】
この構成では、コネクタ側オス型コンタクトが本体側メス型コンタクトに接続されるとともに、コネクタ側メス型コンタクトが本体側オス型コンタクトに接続される。これにより、第１接続対象と第２接続対象とを電気的に接続することができる。
【０００９】
そして、この構成では、上述のように、端子部における一方側にオス型のコンタクトが形成され、他方側にメス型のコンタクトが形成されている。こうすると、例えば、端子部の両端部にメス型のコンタクトが形成されている場合と比べて、連結部の長さを長くすることができる。詳しく説明すると、オス型のコンタクトは、メス型のコンタクトに比べて構成が簡素化されており且つ大きさも小さいため、連結部におけるオス型コンタクト側の端部を、オス型コンタクト側へ延ばして形成することが可能となる。これにより、端子部の両端部にメス型コンタクトが形成されている場合と比べて、端子部の連結部を長くすることができる。その結果、２つの接続対象のそれぞれが別々に振動しても、長さが十分に確保された連結部によってその振動を吸収できる。
【００１０】
従って、この構成によると、耐振性に優れたコネクタを提供できる。
【００１１】
（２）好ましくは、前記連結部は、一端側が前記コネクタ側オス型コンタクトに接続される第１直線部と、前記第１直線部と並行して延びるように設けられ、一端側が前記コネクタ側メス型コンタクトに接続される第２直線部と、前記第１直線部及び前記第２直線部と直交する方向に延びるように設けられ、前記第１直線部の他端側と前記第２直線部の他端側とを接続する接続部と、を有している。
【００１２】
この構成では、連結部の形状がＵ字状となるように形成されるため、連結部の長さを確保しつつ、コネクタハウジング内の限られた空間に端子部を収容することができる。
【００１３】
（３）更に好ましくは、前記第１直線部には、屈曲部が形成されている。
【００１４】
この構成では、連結部を展開した場合における該連結部の長さを長くすることができるため、より耐振性に優れたコネクタを提供できる。更に、この構成では、上述した屈曲部にバネ性を持たせることができるため、より一層、耐振性に優れたコネクタを提供できる。
【００１５】
（４）好ましくは、前記コネクタハウジングには、前記第１接続対象又は前記第２接続対象に固定される本体側ハウジングの本体側係合爪と係合するコネクタ側係合爪が形成され、前記コネクタハウジングは、前記本体側係合爪と前記コネクタ側係合爪とが互いに密着するように、該コネクタハウジングを前記本体側ハウジングに対して付勢する付勢部によって付勢される。
【００１６】
この構成では、コネクタハウジングを本体側ハウジングに対して密着させることができるため、本体側ハウジングに対するコネクタハウジングのがたつきを抑制することができる。その結果、コンタクト同士の擦れ、又はコンタクトとハウジングとの擦れ、等に起因する摩耗粉の発生を抑制することができる。
【００１７】
（５）上記課題を解決するために、この発明のある局面に係る電気的接続装置は、端子部と、該端子部が収容されるコネクタハウジングとを備え、前記端子部によって第１接続対象と第２接続対象としての基板とを電気的に接続する、上述したいずれかのコネクタと、メス型のコンタクトとして形成され、前記基板に接続される本体側メス型コンタクトと、前記基板に固定される本体側ハウジングと、を備えている。
【００１８】
この構成では、電気的接続装置に、十分な長さが確保された連結部が形成された端子部を有するコネクタを備えることができるため、耐振性に優れた電気的接続装置を提供できる。
【００１９】
また、他の局面に係る端子部は、第１接続対象と第２接続対象とを電気的に接続するコネクタのコネクタハウジングに収容される端子部であって、前記第１接続対象に接続された本体側メス型コンタクトに挿入されるコネクタ側オス型コンタクトと、前記第２接続対象に接続された本体側オス型コンタクトが挿入されるコネクタ側メス型コンタクトと、前記コネクタ側オス型コンタクト及び前記コネクタ側メス型コンタクトを連結する弾性変形可能な連結部と、を有している。
【００２０】
この構成では、上述のように、端子部における一方側にオス型のコンタクトが形成され、他方側にメス型のコンタクトが形成されている。こうすると、例えば、端子部の両端部にメス型のコンタクトが形成されている場合と比べて、連結部の長さを長くすることができる。詳しく説明すると、オス型のコンタクトは、メス型のコンタクトに比べて構成が簡素化されているため、連結部におけるオス型コンタクト側の端部を、オス型コンタクト側へ延ばして形成することが可能となる。これにより、端子部の両端部にメス型コンタクトが形成されている場合と比べて、端子部の連結部を長くすることができる。その結果、２つの接続対象のそれぞれが別々に振動しても、長さが十分に確保された連結部によってその振動を吸収できる。
【００２１】
従って、この構成によると、耐振性に優れたコネクタに適した端子部を提供できる。
【発明の効果】
【００２２】
本発明によれば、耐振性に優れたコネクタ及び電気的接続装置を提供できる。
【図面の簡単な説明】
【００２３】
【図１】本発明の実施形態に係るコネクタ、及びこのコネクタを備えた電気的接続装置を模式的に示す斜視図である。
【図２】（Ａ）は、図１に示す電気的接続装置を後方から視た図、（Ｂ）は、図１に示す電気的接続装置の底面図、である。
【図３】図１に示す電気的接続装置の縦断面図であって、コネクタが本体側ハウジングに嵌合する前の状態を示す図である。
【図４】本体側メス型コンタクトの形状を示す斜視図である。
【図５】（Ａ）はコアハウジングの斜視図、（Ｂ）は端子部の斜視図、である。
【図６】端子部が挿入された状態のコアハウジングがコネクタハウジングに収容された状態を示す斜視図であって、コネクタハウジングにおける上側の部分を省略して示す図である。
【図７】コネクタの組立工程を説明するための図であって、（Ａ）は、コアハウジングと端子部とを組み合わせる際の様子を示す図、（Ｂ）は、互いに組み合わせられたコアハウジング及び端子部をコネクタハウジング内に挿入する様子を示す図、である。
【図８】本体側ハウジングに対するコネクタの嵌合動作について説明するための図であって、（Ａ）は、コネクタが最も基板側に押し込まれた状態を示す図、（Ｂ）は、本体側ハウジングに対するコネクタの嵌合が完了した状態を示す図、である。
【図９】図１に示す電気的接続装置の図３とは異なる面で切断した縦断面図であって、コネクタが最も基板側に押し込まれた状態を示す図である。
【図１０】変形例に係る電気的接続装置の端子部の平面図である。
【図１１】変形例に係る電気的接続装置の縦断面図である。
【発明を実施するための形態】
【００２４】
以下、本発明を実施するための形態について図面を参照しつつ説明する。本発明は、２つの接続対象を電気的に接続するコネクタ、及びこのコネクタを備えた電気的接続装置、に広く適用できる。
【００２５】
［構成］
図１は、本発明の実施形態に係るコネクタ２０、及びこのコネクタ２０を備えた電気的接続装置１を模式的に示す斜視図である。また、図２（Ａ）は、図１に示す電気的接続装置１を後方から視た図、図２（Ｂ）は、図１に示す電気的接続装置１の底面図、である。また、図３は、図１に示す電気的接続装置１の縦断面図であって、コネクタ２０が本体側ハウジング１０に嵌合する前の状態を示す図である。本実施形態に係る電気的接続装置１は、例えば一例として車載用に用いられ、バスバー（図示省略）と、バスバーから電源供給が行われる機器（図示省略）の基板５０と、を電気的に接続するためのものである。なお、各図において、説明の便宜上、前と記載された矢印が指示する方向を前側又は前方と称し、後と記載された矢印が指示する方向を後側又は後方と称し、右と記載された矢印が指示する方向を右側と称し、左と記載された矢印が指示する方向を左側と称し、上と記載された矢印が指示する方向を上側又は上方と称し、下と記載された矢印が指示する方向を下側又は下方と称する。上下方向は、コネクタ２０の挿抜方向に対応している。
【００２６】
電気的接続装置１は、本体側オス型コンタクト２、本体側ハウジング１０、補強タブ３本体側メス型コンタクト４、コネクタ２０、等を備えている。
【００２７】
本体側オス型コンタクト２は、ピン状に形成された導電性の部材であって、バスバーに対して固定されている。これにより、本体側オス型コンタクト２は、パスバーと同電位になる。なお、本実施形態では、本体側オス型コンタクト２の形状をピン状に形成したが、この限りでなく、いわゆるオス型に形成されていればどのような形状であってもよい。例えば、本体側オス型コンタクト２を、細長い片状の金属板を折り曲げて棒状にするなどして形成してもよい。
【００２８】
本体側ハウジング１０は、上下方向に延びる略角筒状に形成された樹脂製の部材である。本体側ハウジング１０は、上方から視て左右方向に長い長方形状に形成されている。具体的には、本体側ハウジング１０は、前壁部１１、後壁部１２、右壁部１３、及び左壁部１４を有し、これらが略角筒状となるように一体に形成されている。
【００２９】
本体側ハウジング１０の後壁部１２における下側の部分には、当該部分から後側へ向かって膨出する段差状に形成された段差部１５が形成されている。また、本体側ハウジング１０の左右両側には、該本体側ハウジング１０を上下方向に貫通するスリット部１６，１６が形成されている。
【００３０】
また、本体側ハウジング１０には、２つのコイルバネ収容部１７ａ，１７ｂが形成されている。具体的には、一方のコイルバネ収容部１７ａは、後壁部１２と右壁部１３との間の角部のうちの下側の部分が溝状に切り欠かれた部分によって形成されている。また、他方のコイルバネ収容部１７ｂは、後壁部１２と左壁部１４との間の角部のうちの下側の部分が溝状に切り欠かれた部分によって形成されている。各コイルバネ収容部１７ａ，１７ｂには、上下方向に延びるようにコイルバネ５ａ，５ｂが配置される。
【００３１】
また、本体側ハウジング１０には、本体側係合爪１８が形成されている。具体的には、本体側係合爪１８は、後壁部１２の左右中央部分における、段差部１５のやや上方に形成されている。本体側係合爪１８は、後壁部１２から後方へ向かって突出するように形成されている。この本体側係合爪１８は、詳しくは後述するコネクタハウジング２１のコネクタ側係合爪２３と係合する。
【００３２】
補強タブ３は、金属製のプレート状の部材の一部が折り曲げられることにより形成されている。補強タブ３は、本体側ハウジング１０のスリット部１６に挿入されて固定された状態において、上述のように折り曲げられた平坦状の折り曲げ部３ａが下方へ対向するように設けられる。補強タブ３は、２つのスリット部１６のそれぞれに圧入されて固定される。
【００３３】
本体側ハウジング１０は、上述のようにして本体側ハウジング１０に固定された補強タブ３の折り曲げ部３ａが基板５０にはんだ付けされることにより、基板５０に対して固定される。
【００３４】
図４は、本体側メス型コンタクト４の形状を示す斜視図である。本体側メス型コンタクト４は、例えばプレス打ち抜き加工により形成された板金が折り曲げられることにより、図４に示すような形状の形成されている。本体側メス型コンタクト４は、角筒状に形成された角筒部４ａとはんだ付け部４ｂとを有し、これらが一体に形成されている。角筒部４ａの内側にはバネ部４ｃが形成され、角筒部４ａに挿入されたコネクタ側のオス型コンタクト３１（詳しくは後述する）を角筒部４ａとの間で挟んで保持する。また、本実施形態では、本体側メス型コンタクト４は、左右方向に５つ配列されて、それぞれのはんだ付け部４ｂが基板５０にはんだ付けされた状態で、基板５０に固定された状態の本体側ハウジング１０に収容される。この状態において、各本体側メス型コンタクト４の上側の開口部は、本体側ハウジング１０における上側の開口部を介して、上方へ露出している。
【００３５】
［コネクタの構成］
図５は、コネクタ２０が有する端子部３０及びコアハウジング２５の斜視図であって、（Ａ）はコアハウジング２５の斜視図、（Ｂ）は端子部３０の斜視図、である。また、図６は、端子部３０が挿入された状態のコアハウジング２５がコネクタハウジング２１に収容された状態を示す斜視図であって、コネクタハウジング２１における上側の部分を省略して示す図である。
【００３６】
コネクタ２０は、コネクタハウジング２１と、コアハウジング２５と、端子部３０とを有し、これらが互いに組み立てられることにより形成されている。
【００３７】
図１から図３を参照して、コネクタハウジング２１は、例えば樹脂成型により形成される部材であって、下側に形成される開口部側からコアハウジング２５及び端子部３０が挿入されることにより、内部にコアハウジング２５及び端子部３０が収容される。
【００３８】
コネクタハウジング２１における後側の部分には、本体側ハウジング１０の後壁部１２に形成された本体側係合爪１８と係合するコネクタ側係合爪２３を有する片持ち梁状の爪部２２が形成されている。コネクタ側係合爪２３は、爪部２２の下側における前側の部分から前方へ突出するように形成されている。爪部２２は、上側の部分を基端部として下側の部分が前後方向へ撓むように形成されている。
【００３９】
また、コネクタハウジング２１の内部には、該コネクタハウジング２１の内部空間を５つの空間Ｓに区画する区画壁２４が４つ、形成されている（図７（Ｂ）参照）。この区画壁２４は、前後方向及び上下方向に拡がるように形成され、左右方向に等間隔に配列されている。これらの区画壁２４によって区画された５つの空間Ｓのそれぞれには、詳しくは後述するように、互いに組み合わせられた状態のコアハウジング２５及び端子部３０が挿入される。
【００４０】
コアハウジング２５は、例えば樹脂材料によって、図５（Ａ）に示すように、上下方向に延びる略角筒状に形成された部材である。コアハウジング２５の前側の壁部における上側の部分には、外側に向かって段状に膨出する第１膨出部２６が形成されている。更に、第１膨出部２６における上下方向の中央部分には、該第１膨出部２６と同じ方向に向かって段状に膨出する第２膨出部２７が形成されている。また、コアハウジング２５の後側の壁部における上側の部分には、後方に向かって開口する第１開口部２８が形成されている。更に、コアハウジング２５の左右両側の壁部における上側の部分には、後側から前側に向かって切り欠かれた切欠き部２９が形成されている。
【００４１】
端子部３０は、例えばプレス打ち抜き加工により形成された板金が折り曲げられることにより、図５（Ｂ）に示すような形状の形成されている。端子部３０は、オス型コンタクト３１（コネクタ側オス型コンタクト）とメス型コンタクト３５（コネクタ側メス型コンタクト）と、連結部４０とを有し、これらが一体に形成されている。
【００４２】
オス型コンタクト３１は、コンタクト部３２によって構成されている。コンタクト部３２は、図５（Ｂ）に示すように、板状の部分が、上下方向に沿う折り曲げ線で折り曲げられて重ねられることにより形成されている。これにより、コンタクト部３２は、所定の厚みを有する上下方向に細長い略棒状に形成される。
【００４３】
メス型コンタクト３５は、角筒部３６ａ及びバネ部３６ｂを有するコンタクト部３６によって構成されている。角筒部３６ａは、上下方向に沿って延びる角筒状に形成されている。角筒部３６ａの内部には、該角筒部３６ａと一体に形成されたバネ部３６ｂが形成されている。メス型コンタクト３５では、本体側オス型コンタクト２が角筒部３６ａの内部に挿入されることにより、該角筒部３６ａの内側の部分とバネ部３６ｂとで、本体側オス型コンタクト２が挟んで保持される。また、メス型コンタクト３５には、突出片３７が一体に形成されている。突出片３７は、メス型コンタクト３５の上下方向における中央部分から前方へ向かって突出するように形成されている。この突出片３７の先端部には、上方へ向かって膨出する膨出部３７ａが形成されている。
【００４４】
上述のように、オス型コンタクト３１は、比較的形状が単純であるため、該オス型コンタクト３１よりも形状が複雑なメス型コンタクト３５と比べて、全体的な大きさがやや小さくなっている。
【００４５】
連結部４０は、第１直線部４１と第２直線部４２と接続部４３とを有し、これらがＵ字状となるように一体に形成された部分である。
【００４６】
第１直線部４１は、上下方向に延びるように形成された直線状の部分であって、一端側（下側）がオス型コンタクト３１と繋がっている。第１直線部４１における上下方向中央部分には、該第１直線部４１の左右方向の幅よりも幅が広い幅広部４１ａが形成されている。
【００４７】
第２直線部４２は、上下方向に延びるように形成された直線状の部分であって、一端側（下側）がメス型コンタクト３５と繋がっている。第２直線部４２は、第１直線部４１と並行して延びるように設けられている。また、第２直線部４２は、第１直線部４１よりも上下方向の長さがやや短い。
【００４８】
接続部４３は、第１直線部４１及び第２直線部４２と直交する方向に延びるように設けられ、第１直線部４１における上側の端部と第２直線部４２における上側の端部とを接続している。接続部４３の両端部は、円弧状に形成されたＲ部４３ａ，４３ａとして設けられている。これにより、端子部３０に外力が作用しても、第１直線部４１と接続部４３との接続部分、及び第２直線部４２と接続部４３との接続部分に応力が集中するのを避けることができる。
【００４９】
［コネクタの組立工程］
図７は、コネクタ２０の組立工程を説明するための図であって、（Ａ）は、コアハウジング２５と端子部３０とを組み合わせる際の様子を示す図、（Ｂ）は、互いに組み合わせられたコアハウジング２５及び端子部３０をコネクタハウジング２１内に挿入する様子を示す図、である。なお、図７（Ｂ）のコネクタハウジング２１の上側の部分については、その形状を模式的に示している。
【００５０】
コネクタ２０の組立の際、まず、図７（Ａ）に示すように、コアハウジング２５と端子部３０とが組み合わせられる。具体的には、メス型コンタクト３５の突出片３７がコアハウジング２５の第２膨出部２７内に収容されるように、メス型コンタクト３５が、第１開口部２８側からコアハウジング２５内へ挿入される。これにより、突出片３７及び膨出部３７ａが第２膨出部２７内に圧入されるため、端子部３０がコアハウジング２５から抜けてしまうのを防止できる。また、このとき、オス型コンタクト３１のコンタクト部３２、及びメス型コンタクト３５のコンタクト部３６が、下方へ向かうように配置される。なお、このようにコアハウジング２５と端子部３０とが組み合わせられた状態では、幅広部４１ａがコアハウジング２５の切欠き部２９に載置された状態となる。本実施形態では、５つのコアハウジング２５のそれぞれに対して、５つの端子部３０のそれぞれが組み合わせられる。
【００５１】
次に、端子部３０が取り付けられた上記コアハウジング２５が、コネクタハウジング２１内へ挿入される。具体的には、各前記コアハウジング２５が、各該コアハウジング２５の第２開口部２５ａが下側を向くように、区画壁２４によって区画された各空間Ｓ（図７（Ｂ）参照）に挿入される。このとき、各コアハウジング２５は、第２膨出部２７が、コネクタハウジング２１の前側の壁部に形成されたスリット穴２１ａ（図３参照）に挿通するまで、コネクタハウジング２１側へ挿入されることにより、各コアハウジング２５のコネクタハウジング２１に対する離脱が防止される。このように端子部３０が取り付けられた各コアハウジング２５をコネクタハウジング２１に固定することにより、コネクタ２０の組立が完成する。
【００５２】
［本体側ハウジングに対するコネクタの嵌合］
図８は、本体側ハウジング１０に対するコネクタ２０の嵌合動作について説明するための図であって、（Ａ）は、コネクタ２０が最も基板５０側に押し込まれた状態を示す図、（Ｂ）は、本体側ハウジング１０に対するコネクタ２０の嵌合が完了した状態を示す図、である。以下では、図３及び図８を参照して、本体側ハウジング１０に対するコネクタ２０の嵌合動作について説明する。
【００５３】
図３の状態、すなわち、コネクタ２０が本体側ハウジング１０に嵌合する前の状態では、本体側のコンタクト（オス型コンタクト２及びメス型コンタクト４）と、コネクタ側のコンタクト（メス型コンタクト３５及びオス型コンタクト３１）とは互いに接触しておらず、バスバーと、基板５０を有する機器とは電気的に接続されていない状態となっている。この状態において、コネクタ２０を基板５０側へ押し込むと、コネクタ２０が本体側ハウジング１０側へ移動する。そうすると、コネクタ２０側のメス型コンタクト３５がオス型コンタクト２側へ移動することによりオス型コンタクト２がメス型コンタクト３５内に挿入される一方、コネクタ２０側のオス型コンタクト３１がメス型コンタクト４内に挿入される。これにより、オス型コンタクト２とメス型コンタクト３５とが電気的に接続されるとともに、オス型コンタクト３１とメス型コンタクト４とが電気的に接続されるため、バスバーと、基板５０を有する機器とを電気的に接続することができる。
【００５４】
上述のようにコネクタ２０が基板５０側へ押し込まれると、コネクタハウジング２１における後側の部分と、コイルバネ５ａ，５ｂとが当接する。当該コイルバネ５ａ，５ｂの付勢力に抗してコネクタ２０が更に基板５０側へ押し込まれることにより、コネクタ２０は更に本体側ハウジング１０側へ移動する。
【００５５】
そして、上述のようにコイルバネ５ａ，５ｂの付勢力に抗しながらコネクタ２０が基板５０側へ押し込まれることにより、コネクタ２０の爪部２２の先端部が後側へ撓みながら、コネクタ側係合爪２３が本体側係合爪１８を乗り越える。これにより、コネクタ側係合爪２３が本体側係合爪１８よりも下側に入り込む（図８（Ａ）参照）。なお、図９は、電気的接続装置１を後方から視た場合における断面図であって、コネクタ２０が最も基板５０側へ押し込まれた状態の図である。
【００５６】
上述のようにコネクタ２０が最も基板５０側へ押し込まれた状態において、コネクタ２０の基板５０側への押圧を解除すると、コイルバネ５ａ，５ｂの付勢力によりコネクタ２０が上方へ押圧され、コネクタ側係合爪２３と本体側係合爪１８とが上下方向において互いに密着する。これにより、コネクタハウジング２１が本体側ハウジング１０に対してがたつくことなく、コネクタ２０を本体側ハウジング１０に嵌合することができる。
【００５７】
［コネクタの耐振性について］
上述のように、本実施形態に係る電気的接続装置１は、例えば一例として車載用に用いられるため、比較的振動が多い環境下で用いられる。更に、本実施形態では、第１接続対象であるバスバーと、第２接続対象である機器とが、それぞれ別個に設けられているため、それぞれ別々の振動モードで振動する。そうすると、例えばバスバー側に固定された部品（例えば本体側オス型コンタクト２）と基板５０側に固定された部品（例えば本体側ハウジング１０）とが擦れたり、或いは、基板５０側に固定された部品（例えば本体側ハウジング１０）とコネクタ２０側に固定された部位（例えばオス型コンタクト３１）とが擦れたりすることにより、各部品が大きく摩耗するようにも思える。
【００５８】
しかしながら、本実施形態に係るコネクタ２０では、端子部３０の一方側にオス型コンタクト３１を形成している。こうすると、端子部３０の両端部に形成されたコンタクト３１，３５同士を連結する連結部４０の長さを長くすることができる。詳しく説明すると、オス型コンタクト３１は、メス型コンタクト３５と比べて構成が簡素化されており且つ大きさも小さいため、連結部４０におけるオス型コンタクト３１側の端部（第１直線部４１の下端部）をオス型コンタクト３１側へ延ばして形成することができる。これにより、例えば端子部の両端側にメス型コンタクトが形成されている場合と比べて、連結部を長くすることができる。その結果、２つの接続対象（本実施形態の場合、バスバー、及び基板５０を有する機器）のそれぞれが別々に振動しても、長さが十分に確保された連結部４０によってその振動を吸収できる。
【００５９】
［効果］
以上のように、本実施形態に係るコネクタ２０では、上述のように、連結部４０の長さを長くできる。従って、コネクタ２０では、耐振性に優れたコネクタを提供できる。
【００６０】
また、コネクタ２０では、連結部４０の形状がＵ字状となるように形成されるため、連結部４０の長さを確保しつつ、コネクタハウジング２１内の限られた空間に端子部３０を収容することができる。
【００６１】
また、コネクタ２０では、コイルバネ５ａ，５ｂによって、コネクタハウジング２１を本体側ハウジング１０に対して密着させることができるため、本体側ハウジング１０に対するコネクタハウジング２１のがたつきを抑制することができる。その結果、コンタクト同士の擦れ、又はコンタクトとハウジングとの擦れ、等に起因する摩耗粉の発生を抑制することができる。
【００６２】
また、本実施形態に係る電気的接続装置１によれば、十分な長さが確保された連結部４０が形成された端子部３０を有するコネクタ２０を備えることができるため、耐振性に優れた電気的接続装置を提供できる。
【００６３】
また、本実施形態に係る端子部３０によれば、耐振性に優れたコネクタに適した端子部を提供できる。
【００６４】
以上、本発明の実施形態について説明したが、本発明はこれらに限定されるものではなく、本発明の趣旨を逸脱しない限りにおいて種々の変更が可能である。
【００６５】
［変形例］
（１）図１０は、変形例に係るコネクタの端子部３０ａの平面図である。本変形例の端子部３０ａは、上記実施形態の端子部３０と比べて、連結部の形状が異なっている。以下では、上記実施形態と異なる部分について主に説明し、その他の部分については説明を省略する。
【００６６】
本変形例の連結部４０ａは、上記実施形態の場合と異なり、第１直線部４１に幅広部４１ａが形成されておらず、その代わりに、蛇行部４１ｂ（屈曲部）が形成されている。蛇行部４１ｂは、前後方向に蛇行しながら、上下方向に延びるように形成されている。このように、第１直線部４１に蛇行部４１ｂを設けることで、連結部４０ａを展開した場合における該連結部４０ａの長さを長くできるため、より耐振性に優れたコネクタを提供できる。更に、この構成では、上述した蛇行部４１ｂにバネ性を持たせることができるため、より一層、耐振性に優れたコネクタを提供できる。
【００６７】
（２）図１１は、変形例に係る電気的接続装置１ａの縦断面図である。上記実施形態では、本体側ハウジング１０に対するコネクタ２０のがたつきを、コイルバネ５ａ，５ｂによって抑制しているが、これに限らない。具体的には、図１１に示すように、樹脂バネ１９によってコネクタ２０ａのガタツキを抑制してもよい。
【００６８】
図１１に示す例では、本体側ハウジング１０ａに、樹脂バネ１９が形成されている。樹脂バネ１９は、本体側ハウジング１０ａにおける下側から上方へ向かって延びるように形成され、コネクタ２０を上方へ付勢している。このような構成であっても、上述した実施形態の場合と同様、本体側ハウジング１０ａに対するコネクタ２０ａのがたつきを抑制できる。
【産業上の利用可能性】
【００６９】
本発明は、２つの接続対象を電気的に接続するコネクタ、及びこのコネクタを備えた電気的接続装置として広く適用することができる。
【符号の説明】
【００７０】
１，１ａ          電気的接続装置
２                本体側オス型コンタクト
４                本体側メス型コンタクト
２０，２０ａ      コネクタ
２１              コネクタハウジング
３０，３０ａ      端子部
３１              オス型コンタクト（コネクタ側オス型コンタクト）
３５              メス型コンタクト（コネクタ側メス型コンタクト）
４０，４０ａ      連結部
【図１】
0006367746.tif 000002
【図２】
0006367746.tif 000003
【図３】
0006367746.tif 000004
【図４】
0006367746.tif 000005
【図５】
0006367746.tif 000006
【図６】
0006367746.tif 000007
【図７】
0006367746.tif 000008
【図８】
0006367746.tif 000009
【図９】
0006367746.tif 000010
【図１０】
0006367746.tif 000011
【図１１】
0006367746.tif 000012